(57)【要約】【課題】一般家庭や車載等で使用される空気清浄機において、商用交流電源でも低圧直流電源でも動作することができ、かつどちらら一方を選択できることを目的とする。【解決手段】イオンを発生するイオン発生装置２と、イオン発生装置２が内装され空気を通風させる送風手段３と、交流商用電源と直流電源の２系統の電源の入力を有しイオン発生装置２と送風手段３を制御する制御装置１を備えた構成にしたことにより、商用交流電源か低圧直流電源のどちらか片方の電源を選択して動作させることができる空気清浄機を得られる。【選択図】図１
2012017867.tif 000002
【特許請求の範囲】
【請求項１】
イオンを発生するイオン発生装置と、前記イオン発生装置が内装され空気を通風させる送風手段と、前記イオン発生装置から発生するイオンを前記送風手段からの風により吹き出す吹出口と、前記発生装置を制御するとともに前記送風手段を制御する制御装置とを備え、前記制御装置は交流商用電源と直流電源の２系統の電源の入力と、どちらの電源で動作しているかを表示する動作電源表示部と、動作させる電源を選択する選択スイッチを有し、電源の供給されているどちらか一方の電源を選択して動作させることを特徴とする空気清浄機。
【請求項２】
前記制御装置の交流商用電源の入力部にコネクタを備え、ＡＣプラグ付電源コードを前記コネクタに接続した請求項１記載の空気清浄機。
【請求項３】
空気清浄機本体外部からの交流商用電源の入力部にはＡＣインレットが設けられ、前記制御装置の交流商用電源の入力部にコネクタを備え、前期ＡＣインレットと前記制御装置のコネクタの間をリード線で接続した請求項１記載の空気清浄機。
【請求項４】
空気清浄機本体外部からの直流電源の入力部にはＤＣジャックが設けられ、前記制御装置の交流商用電源の入力部にコネクタを備え、前期ＤＣジャックと前記制御装置のコネクタの間をリード線で接続した請求項１記載の空気清浄機。
【請求項５】
前記制御装置は交流を直流に変換し平滑する整流回路部と、負荷駆動用の直流電源を生成するための絶縁型のＤＣ−ＤＣコンバータ部を有し、交流商用電源の入力は整流回路部の入力にコネクタ接続され、低圧直流電源の入力は絶縁型のＤＣ−ＤＣコンバータ部の出力にコネクタ接続される構成とし、空気清浄機本体外部からの入力部にＡＣインレットとＤＣジャックの両方を備え、それぞれリード線でコネクタに接続した請求項１記載の空気清浄機。
【請求項６】
前記制御装置はＤＣ−ＤＣコンバータ部の出力と低圧直流電源の入力用コネクタの間にリレーを有し、交流商用電源が入力されている場合には前記リレーを遮断するようにした請求項５記載の空気清浄機。
【請求項７】
空気清浄機本体外部からの電源入力部の前記ＡＣプラグ付電源コード、ＡＣインレット、ＤＣジャックの固定部は、空気清浄機本体とは別部品でそれぞれの出口形状に合わせた構造とした請求項１〜６記載の空気清浄機。
【請求項８】
前記制御装置は交流を直流に変換し平滑する整流回路部と、負荷駆動用の直流電源を生成するためのＤＣ−ＤＣコンバータを有し、前記ＤＣ−ＤＣコンバータの動作範囲を低電圧から高電圧まで広げることにより交流商用電源でも低圧直流電源でも動作することを特徴とする空気清浄機。
【請求項９】
前記制御装置の電源の入力部にコネクタを備え、ＡＣプラグ付電源コードを前記コネクタに接続した請求項８記載の空気清浄機。
【請求項１０】
空気清浄機本体外部からの交流商用電源の入力部にはＡＣインレットが設けられ、前記制御装置の電源の入力部にコネクタを備え、前期ＡＣインレットと前記制御装置のコネクタの間をリード線で接続した請求項８記載の空気清浄機。
【請求項１１】
空気清浄機本体外部からの直流電源の入力部にはＤＣジャックが設けられ、前記制御装置の電源の入力部にコネクタを備え、前期ＤＣジャックと前記制御装置のコネクタの間をリード線で接続した請求項８記載の空気清浄機。
【請求項１２】
空気清浄機本体外部からの入力部にＡＣインレットとＤＣジャックの両方を備え、前記ＡＣインレットとＤＣジャックを並列接続し、前記制御装置のコネクタとの間をリード線で接続した請求項８記載の空気清浄機。
【請求項１３】
空気清浄機本体外部からの入力部にＡＣインレットとＤＣジャックの両方を備え、前記制御装置のそれぞれの入力部にリレーを設け、電源選択スイッチにより選択されていない電源側のリレーの接点を開放するようにした請求項８記載の空気清浄機。
【発明の詳細な説明】
【技術分野】
【０００１】
本発明は、空気浄化作用のあるイオンを発生する機能を搭載した空気清浄機に関するものである。
【背景技術】
【０００２】
従来、この種の空気清浄機は、交流と直流を切り替えて使用するため直流の受け口にスイッチを設けたものが知られている（例えば、文献１参照）。
【０００３】
以下、その空気清浄機について図２０を参照しながら説明する。
【０００４】
図２０に示すように、空気清浄機本体１０１には制御装置１０２とイオン発生装置１０３と送風手段１０４が内蔵されており、前記イオン発生装置１０３から発生するイオンは前記送風手段１０４からの風により吹出口（図示せず）から吹き出すようになっている。
【０００５】
前記制御装置１０２は交流商用電源入力部１０５を有し、前記交流商用電源入力部１０５は商用交流電源を降圧する電源トランス１０６に接続されている。電源トランス１０６の  出力は電解コンデンサ１０７と抵抗器１０８からなる平滑回路で平滑される。
【０００６】
低圧直流電源入力部１０９のプラス側は、前記平滑回路の出力に接続され、マイナス側は低圧直流電源入力部１０９にプラスとマイナスが逆接続されたときに制御装置１０２全体に逆電圧が印加されるのを防止するダイオード１１０が接続されている。
【０００７】
前記低圧直流電源入力部１０９にプラグが差し込まれた際には接点が開放されるスイッチ１１１が設けられ、前記電源トランス１０６のマイナス側と前記ダイオード１１０のカソード側の中間に接続されている。
【０００８】
さらに、前記制御装置１はマイクロコンピュータ１１２を有し、前記イオン発生装置１０３と前記送風手段１０４とをそれぞれトランジスタ１１３，１１４を介して電源を通電制御している。
【０００９】
上記構成において、商用交流電源で使用する場合には、低圧直流電源入力部１０９に接続されているプラグを外すことにより、スイッチ１１１の接点が閉じ、制御装置１のＧＮＤ側がダイオード１１０を介して電源トランス１０６の出力側と接続される。この状態で商用交流電源を入力すると電源トランス１０６で降圧され、電解コンデンサ１０７と抵抗器１０８で平滑された電源がマイクロコンピュータ１０やイオン発生装置１０３、送風手段１０４に電源が供給される。
【００１０】
また、低圧直流電源で使用する場合には、低圧直流電源入力部１０９にプラグを接続するとスイッチ１１１の接点が開放され、電源トランス１０６の出力は切り離される。この状態で低圧直流電源を入力すると、電源がダイオード１１０を介してマイクロコンピュータ１０やイオン発生装置２、送風手段３に電源が供給される。
【先行技術文献】
【特許文献】
【００１１】
【特許文献１】実開昭５９−８６８８５号公報
【発明の概要】
【発明が解決しようとする課題】
【００１２】
このような従来の空気清浄機では、商用交流電源入力の低圧電源入力の両方に接続されている場合、低圧電源入力部に設けられたスイッチにより強制的に商用交流電源が切断されるため、商用交流電源を優先的に使用できないという課題を有していた。
【００１３】
そこで本発明は、このような従来の課題を解決するものであり、商用交流電源でも低圧直流電源でも優先的に選択して動作する空気清浄機を提供することを目的としている。
【課題を解決するための手段】
【００１４】
そして、この目的を達成するために、本発明の空気清浄機は、イオンを発生するイオン発生装置と、前記イオン発生装置が内装され空気を通風させる送風手段と、前記イオン発生装置から発生するイオンを前記送風手段からの風により吹き出す吹出口と、前記発生装置を制御するとともに前記送風手段を制御する制御装置とを備え、前記制御装置は交流商用電源と直流電源の２系統の電源の入力と、どちらの電源で動作しているかを表示する動作電源表示部と、動作させる電源を選択する選択スイッチを有し、電源の供給されているどちらか一方の電源を選択して動作させる構成を有する。これにより、商用交流電源でも低圧直流電源でも優先的に選択して動作する空気清浄機を提供することという所期の目的を達成できる。
【発明の効果】
【００１５】
本発明によれば、イオンを発生するイオン発生装置と、前記イオン発生装置が内装され空気を通風させる送風手段と、前記イオン発生装置から発生するイオンを前記送風手段からの風により吹き出す吹出口と、前記発生装置を制御するとともに前記送風手段を制御する制御装置とを備え、前記制御装置は交流商用電源と直流電源の２系統の電源の入力と、どちらの電源で動作しているかを表示する動作電源表示部と、動作させる電源を選択する選択スイッチを有し、電源の供給されているどちらか一方の電源を選択して動作させる構成にしたことにより、スイッチにより強制的に商用交流電源が切断されることなく、商用交流電源でも低圧直流電源でも優先的に選択して動作できるという効果を得ることができる。
【図面の簡単な説明】
【００１６】
【図１】本発明の実施の形態１の回路ブロック図
【図２】本発明の実施の形態２の回路ブロック図
【図３】本発明の実施の形態３の回路ブロック図
【図４】本発明の実施の形態４の回路ブロック図
【図５】本発明の実施の形態５の回路ブロック図
【図６】本発明の実施の形態６の回路ブロック図
【図７】本実施の形態７におけるＡＣコード電源入口付近の断面図
【図８】本実施の形態７におけるＡＣインレット付近の断面図
【図９】本実施の形態７におけるＤＣジャック付近の断面図
【図１０】本発明の実施の形態８の回路ブロック図
【図１１】本発明の実施の形態９の回路ブロック図
【図１２】本発明の実施の形態１０の回路ブロック図
【図１３】本発明の実施の形態１１の回路ブロック図
【図１４】本発明の実施の形態１２の回路ブロック図
【図１５】本発明の実施の形態１３の回路ブロック図
【図１６】従来の空気清浄機の回路ブロック図
【発明を実施するための形態】
【００１７】
本発明の請求項１記載の発明は、イオンを発生するイオン発生装置と、前記イオン発生装置が内装され空気を通風させる送風手段と、前記イオン発生装置から発生するイオンを前記送風手段からの風により吹き出す吹出口と、前記発生装置を制御するとともに前記送風手段を制御する制御装置とを備え、前記制御装置は交流商用電源と直流電源の２系統の電源の入力と、どちらの電源で動作しているかを表示する動作電源表示部と、動作させる電源を選択する選択スイッチを有し、電源の供給されているどちらか一方の電源を選択して動作させるという構成を有する。これにより、制御装置からの信号により商用交流電源でも低圧直流電源でも選んで動作させることができるという効果を奏する。
【００１８】
また、前記制御装置の交流商用電源の入力部にコネクタを備え、ＡＣプラグ付電源コードを前記コネクタに接続した構成を有する。これにより、ＡＣプラグ付電源コードを接続するだけで、交流商用電源を使用する構成に容易に変更できるという効果を奏する。
【００１９】
また、空気清浄機本体外部からの交流商用電源の入力部にはＡＣインレットが設けられ、前記制御装置の交流商用電源の入力部にコネクタを備え、前記ＡＣインレットと前記制御装置のコネクタの間をリード線で接続した構成を有する。これにより、ＡＣインレットからコネクタ部のみを接続するだけで、交流商用電源を使用する構成に容易に変更できるという効果を奏する。
【００２０】
また、空気清浄機本体外部からの直流電源の入力部にはＤＣジャックが設けられ、前記制御装置の直流低圧電源の入力部にコネクタを備え、前記ＤＣジャックと前記制御装置のコネクタの間をリード線で接続した構成を有する。これにより、ＤＣジャックからコネクタ部のみを接続するだけで、直流電源を使用する構成に容易に変更できるという効果を奏する。
【００２１】
また、制御装置は交流を直流に変換し平滑する整流回路部と、負荷駆動用の直流電源を生成するための絶縁型ＤＣ−ＤＣコンバータ部を有し、交流商用電源の入力は整流回路部の入力にコネクタ接続され、低圧直流電源の入力は絶縁型ＤＣ−ＤＣコンバータ部の出力にコネクタ接続される構成とし、空気清浄機本体外部からの入力部にＡＣインレットとＤＣジャックの両方を備え、それぞれリード線でコネクタに接続した構成を有する。これにより、ＡＣインレットに挿入できる電源コードを空気清浄機本体のＡＣインレットに接続することで、屋内の交流商用電源で使用することができ、自動車の車内のシガライターソケットから空気清浄機本体のＤＣジャックに接続することで、車内でも使用できるという効果を奏する。
【００２２】
また、制御装置はＤＣ−ＤＣコンバータ部の出力と低圧直流電源の入力用コネクタの間にリレーを有し、交流商用電源が入力されている場合には前記リレーを遮断するようにした構成を有する。これにより、交流商用電源が空気清浄機に接続されている場合にはＤＣジャックの端子に電圧が発生することがなくなり、ＤＣジャックにＡＣアダプタからの電源や自動車等のバッテリーから電源が入力されても、空気清浄機の制御装置とは切断されているので、不要な電流が空気清浄機の制御装置に流れ込むことや逆に流れ出すことがなくなり、制御装置やＡＣアダプタの破損を防止できるという効果を奏する。
【００２３】
また、空気清浄機本体外部からの電源入力部の前記ＡＣプラグ付電源コード、ＡＣインレット、ＤＣジャックの固定部は、空気清浄機本体とは別部品でそれぞれの出口形状に合わせた構造とした構成を有する。これにより、空気清浄機本体は電源仕様にかかわらず１種類で、電源入力の固定部のみを変更することで電源仕様を容易に変更できるという効果を奏する。
【００２４】
また、制御装置は交流を直流に変換し平滑する整流回路部と、負荷駆動用の直流電源を生成するためのＤＣ−ＤＣコンバータを有し、前記ＤＣ−ＤＣコンバータの動作範囲を低電圧から高電圧まで広げることにより交流商用電源でも低圧直流電源でも動作する構成を有する。これにより、制御装置の電源入力部を交流商用電源と低圧直流電源の２個に分ける必要がなくなることで、簡略化することがきるという効果を奏する。
【００２５】
また、制御装置の電源の入力部にコネクタを備え、ＡＣプラグ付電源コードを前記コネクタに接続した構成を有する。これにより、ＡＣプラグの形状の異なる電源コードを付け替えるだけで、日本以外の電圧の異なる交流商用電源で使用できるという効果を奏する。
【００２６】
また、空気清浄機本体外部からの交流商用電源の入力部にはＡＣインレットが設けられ、前記制御装置の電源の入力部にコネクタを備え、前記ＡＣインレットと前記制御装置のコネクタの間をリード線で接続した構成を有する。これにより、ＡＣプラグの形状の異なるＡＣインレット付の電源コードを使用者が付け替えるだけで、日本以外の電圧の異なる交流商用電源で使用できるという効果を奏する。
【００２７】
また、空気清浄機本体外部からの直流電源の入力部にはＤＣジャックが設けられ、前記制御装置の電源の入力部にコネクタを備え、前記ＤＣジャックと前記制御装置のコネクタの間をリード線で接続した構成を有する。これにより、自動車用の１２Ｖの電源だけでなく、大型トラック等の２９Ｖの電圧でも使用できるという効果を奏する。
【００２８】
また、空気清浄機本体外部からの入力部にＡＣインレットとＤＣジャックの両方を備え、前記ＡＣインレットとＤＣジャックを並列接続し、前記制御装置のコネクタとの間をリード線で接続した構成を有する。これにより、屋内では交流商用電源で使用することができ、屋外では１２Ｖ、２９Ｖを問わずあらゆる電圧のバッテリーで使用できるという効果を奏する。
【００２９】
また、空気清浄機本体外部からの入力部にＡＣインレットとＤＣジャックの両方を備え、前記制御装置のそれぞれの入力部にリレーを設け、電源選択スイッチにより選択されていない電源側のリレーの接点を開放するようにした構成を有する。これにより、ＡＣインレットに交流商用電源が、ＤＣジャックに低圧直流電源が入力されても相互にショートすることはなくなるという効果を奏する。
【００３０】
以下、本発明の実施の形態について図面を参照しながら説明する。
【００３１】
（実施の形態１）
図１に示すように、空気清浄機本体には制御装置１とイオン発生装置２と送風手段３が内蔵されており、前記イオン発生装置２から発生するイオンは前記送風手段３からの風により吹出口（図示せず）から吹き出すようになっている。
【００３２】
前記制御装置１は交流商用電源入力部４を有し、前記交流商用電源入力部４は整流降圧部５に接続され、前記整流降圧部５の出力には、整流ダイオード６が接続されている。前記整流降圧部５と、整流ダイオード６の間には抵抗を介してホトカプラ７の入力側の一方が接続され、このホトカプラ７の入力側の他方は後述するトランジスタ１３を介して整流降圧部５の他方の出力に接続されている。つまりホトカプラ７は抵抗とトランジスタ１３を介して整流降圧部５の出力間に接続されている。
【００３３】
また、前記制御装置１は低圧直流電源入力部８を有し、前記低圧直流電源入力部８のプラス側は、前記整流ダイオード６のカソード側に接続され、マイナス側はトランジスタ９を介して、制御装置１共通のマイナス側に接続され、前記トランジスタ９のベースは抵抗を介して低圧直流電源入力部８のプラス側に接続されている。前記ホトカプラ７の出力側は前記トランジスタ９のベースと前記低圧直流電源入力部８のマイナス側をショートするように接続されている。
【００３４】
つまり、トランジスタ９は低圧直流電源入力部８の入力電圧を検知して制御装置１の共通のマイナス側へ低圧直流電源入力部８のマイナス側を接続する低圧直流電源接続回路９ａである。また、ホトカプラ７は、交流商用電源入力部４の入力電圧を検知して、低圧直流電源入力部８のマイナス側と制御装置１の共通のマイナス側との接続を阻止する商用電源優先回路７ａを構成している。
【００３５】
さらに、前記制御装置１はマイクロコンピュータ１０を有し、前記イオン発生装置２と前記送風手段３をそれぞれトランジスタ１１、１２を介して電源を通電制御している。
【００３６】
また、前記整流降圧部５の出力のマイナス側と制御装置１の共通のマイナス側との間にはトランジスタ１３が接続され、前記トランジスタ１３のベースは抵抗を介して整流降圧部５のプラス側に接続され、前記トランジスタ１３のベースと前記整流降圧部５の出力のマイナス側を短絡するようにホトカプラ１４の出力側が接続され、前記ホトカプラ１４の入力側は前記整流ダイオード６から抵抗を介して前記マイクロコンピュータ１０に接続されている。つまり、トランジスタ１３は、整流降圧部５のマイナス側と制御装置１の共通のマイナス側とを接続する商用電源接続回路であるとともに、商用電源優先回路を遮断する優先遮断回路を兼ねるものである。また、ホトカプラ１４は、マイクロコンピュータ１０の制御信号によりの整流降圧部のマイナス側と制御装置１の共通のマイナス側との接続を阻止する低圧直流電源優先回路１４ａある。
【００３７】
また、低圧直流電源入力部８にはホトカプラ１５が接続され、その出力は前記マイクロコンピュータ１０に入力されている。このホトカプラ１５の入力側と出力側の間に接続されているダイオード１６は、交流商用電源側からホトカプラ１５の入力側に電源が供給されるのを防止している。
【００３８】
さらに、マイクロコンピュータ１０には動作電源表示部１７としての交流商用電源で動作していることを表示するＬＥＤ１７ａと、低圧直流電源で動作していることを表示するＬＥＤ１７ｂと、動作する電源を選択する選択スイッチ１８が接続されている。また、ホトカプラ７の出力側の出力がマイクロコンピュータ１０に接続され、低圧直流電源接続回路９ａの状態が確認できるようになっている。
【００３９】
上記構成において、制御装置１の交流商用電源入力部４に交流電源が接続されると、整流降圧部５により、直流低電圧に変換され、トランジスタ１３がＯＮし、整流ダイオード６を介してマイクロコンピュータ１０やイオン発生装置２、送風手段３に電源が供給される。また、ホトカプラ７の入力側にも電流が流れることにより、出力側がトランジスタ９のベースとマイナス側をショートし、トランジスタ９をＯＦＦする。この状態で低圧直流電源入力部８に低圧直流電源が接続されてもトランジスタ９がＯＦＦしているため、直流電源からは電源が制御装置１には供給されない。マイクロコンピュータ１０はトランジスタ９のＯＦＦ状態を入力し、ＬＥＤ１７ａを点灯することにより、交流商用電源で動作していることを表示する。
【００４０】
交流電源からのみ電源が供給されている状態では低圧直流電源に接続されたホトカプラ１５はＯＦＦしており、マイクロコンピュータ１０にはＨｉの信号が入力されるので、マイクロコンピュータ１０は低圧直流電源が接続されていないと認識し、ホトカプラ１４に通電し交流商用電源を遮断することはない。
【００４１】
一方、交流商用電源入力部４に交流電源が接続されていないときには、ホトカプラ７には通電されず、低圧直流電源入力部８に低圧直流電源を接続されるとトランジスタ９がＯＮして制御装置１に電源が供給される。このとき、整流ダイオード６は低圧直流電源からホトカプラ７に電流が流れ、ホトカプラ７がＯＮしてトランジスタ９がＯＦＦすることにより、低圧直流電源入力部８からの電源が遮断されるのを阻止している。マイクロコンピュータ１０はトランジスタ９のＯＮ状態を入力し、ＬＥＤ１７ｂを点灯することにより、低圧直流電源で動作していることを表示する。
【００４２】
また、交流電源と低圧直流電源の両方が接続されている場合、通常は上記のように交流電源から電源が制御装置１に供給される。選択スイッチ１８により動作する電源を低圧直流電源に切り換えたときにはマイクロコンピュータ１０はホトカプラ１４の入力側に電流を流し、ホトカプラ１４をＯＮし、トランジスタ１３のベース電流を遮断することにより、トランジスタ１３をＯＦＦする。この状態で整流降圧部５からの出力は遮断される。整流降圧部５からの出力が遮断されるとホトカプラ７の入力側に電流が流れなくなりホトカプラ７がＯＦＦし、トランジスタ９がＯＮすることにより、低圧直流電源入力部８からの低圧直流電源が制御装置１に供給される。
【００４３】
前記イオン発生装置２と前記送風手段３は同一の低圧直流電圧で動作するもので、マイクロコンピュータ１０はトランジスタ１１，１２をＯＮ／ＯＦＦすることで、これらを通電制御する。
【００４４】
以上のように、交流商用電源用の回路と低圧直流電源用の２種類の回路を作成する必要がなく、１種類の制御装置で交流商用電源でも低圧直流電源でも空気清浄機を動作させることができる。また、交流商用電源と低圧直流電源の両方が接続されている状態でも、通常は交流商用電源で動作するが、交流商用電源を遮断することができるので、低圧直流電源たとえば太陽光発電の出力等の自然エネルギーを優先して使用することができる。
【００４５】
（実施の形態２）
図２は、本実施の形態２における回路構成図を示す。図２において図１と同様の構成要素については同一の符号を付し、その詳細な説明は省略する。
【００４６】
図２において、交流商用電源入力部４はコネクタ接続方式となっており、ＡＣプラグ付電源コード１９の先端にはコネクタ２０が取り付けられており、前記交流商用電源入力部４に接続されている。
【００４７】
上記構成において、ＡＣプラグ付電源コード１９がコンセント（図示せず）に接続されると、交流商用電源入力部４から電源が供給され、整流降圧部５により、直流低電圧に変換され、トランジスタ１３がＯＮし、整流ダイオード６を介してマイクロコンピュータ１０やイオン発生装置２、送風手段３に電源が供給される。空気清浄機本体外部に対しては低圧直流電源入力部８からは何も接続されていないが、全く空気清浄機本体の動作には支障をきたさない。
【００４８】
以上のように、１種類の制御装置にＡＣプラグ付電源コードを接続するだけで、交流商用電源を使用する構成に容易に変更できるので、製造上、制御装置の種類を複数生産し管理する手間が省け、１種類の制御装置の在庫を持つだけで、市場の商品の在庫状況にすぐに対応して空気清浄機を生産することができる。
【００４９】
（実施の形態３）
図３は、本実施の形態３における回路構成図を示す。図３において図１および図２と同様の構成要素については同一の符号を付し、その詳細な説明は省略する。
【００５０】
図３において、交流商用電源入力部４はコネクタ接続方式となっており、空気清浄機本体外部からの交流商用電源の入力部にはＡＣインレット２１が設けられ、このＡＣインレット２１と前記交流商用電源入力部４のコネクタの間はリード線で接続されている。
【００５１】
上記構成において、ＡＣインレット２１に適合する電源コードがコンセント（図示せず）に接続されると、交流商用電源入力部４から電源が供給され、整流降圧部５により、直流低電圧に変換され、トランジスタ１３がＯＮし、整流ダイオード６を介してマイクロコンピュータ１０やイオン発生装置２、送風手段３に電源が供給される。空気清浄機本体外部に対しては低圧直流電源入力部８からは何も接続されていないが、全く空気清浄機本体の動作には支障をきたさない。
【００５２】
以上のように、１種類の制御装置にＡＣインレット２１とリード線で接続されたコネクタを交流商用電源入力部４に接続するだけで、交流商用電源を使用する構成に容易に変更できるので、製造上、制御装置の種類を複数生産し管理する手間が省け、１種類の制御装置の在庫を持つだけで、市場の商品の在庫状況に対応して空気清浄機を生産することができる。さらにＡＣインレット２１を除き、空気清浄機本体に制御装置１、イオン発生装置２、送風手段３を組み込んだ状態で在庫しておけば、注文に応じてＡＣインレット２１を組み込むだけですぐに出荷できるので、注文から出荷までの時間を短縮することができる。
【００５３】
（実施の形態４）
図４は、本実施の形態４における回路構成図を示す。図４において図１〜３と同様の構成要素については同一の符号を付し、その詳細な説明は省略する。
【００５４】
図４において、低圧直流電源入力部８はコネクタ接続方式となっており、空気清浄機本体外部からの直流低圧電源の入力部にはＤＣジャック２２が設けられ、このＤＣジャック２２と前記低圧直流電源入力部８のコネクタ２３の間はリード線で接続されている。
【００５５】
上記構成において、ＤＣジャック２２にＡＣアダプタの出力等の低圧直流電源が接続されると、低圧直流電源入力部８から電源が供給されトランジスタ９がＯＮしてマイクロコンピュータ１０やイオン発生装置２、送風手段３に電源が供給される。このとき、整流ダイオード６は低圧直流電源からホトカプラ７に電流が流れ、ホトカプラ７がＯＮしてトランジスタ９がＯＦＦすることにより、低圧直流電源入力部８からの電源が遮断されるのを阻止している。空気清浄機本体外部に対しては交流商用電源入力部４からは何も接続されていないが、全く空気清浄機本体の動作には支障をきたさない。
【００５６】
以上のように、１種類の制御装置にＤＣジャック２２とリード線で接続されたコネクタ２３を低圧直流電源入力部８に接続するだけで、直流低圧電源を使用する構成に容易に変更できるので、製造上、制御装置の種類を複数生産し管理する手間が省け、１種類の制御装置の在庫を持つだけで、市場の商品の在庫状況に対応して空気清浄機を生産することができる。さらにＤＣジャック２２を除き、空気清浄機本体に制御装置１、イオン発生装置２、送風手段３を組み込んだ状態で在庫しておけば、注文に応じてＤＣジャック２２を組み込むだけですぐに出荷できるので、注文から出荷までの時間を短縮することができる。
【００５７】
（実施の形態５）
図５は、本実施の形態５における回路構成図を示す。図５において図１〜４と同様の構成要素については同一の符号を付し、その詳細な説明は省略する。
【００５８】
図５において、交流商用電源入力部４には交流を直流に変換し平滑する整流回路部２４が接続され、この整流回路部２４の出力には絶縁型ＤＣ−ＤＣコンバータ部２５が接続され、その出力には、整流ダイオード６が接続されている。
【００５９】
また、空気清浄機本体外部からの交流商用電源の入力部にはＡＣインレット２１が設けられ、このＡＣインレット２１と前記交流商用電源入力部４のコネクタ２０の間はリード線で接続されている。
【００６０】
さらに、空気清浄機本体外部からの直流低圧電源の入力部にはＤＣジャック２２が設けられ、このＤＣジャック２２と前記低圧直流電源入力部８のコネクタ２３の間はリード線で接続されている。
【００６１】
上記構成において、ＡＣインレット２１に適合する電源コードがコンセント（図示せず）に接続されると、交流商用電源入力部４から電源が供給され、整流回路部２４により直流に変換され平滑される。直流平滑された電源は絶縁型ＤＣ−ＤＣコンバータ部２５により低圧の直流に変換され、トランジスタ１３がＯＮし、整流ダイオード６を介してマイクロコンピュータ１０やイオン発生装置２、送風手段３に電源が供給される。
【００６２】
一方、交流商用電源入力部４に交流電源が接続されていないときには、ホトカプラ７には通電されず、ＤＣジャック２２から低圧直流電源入力部８に低圧直流電源を接続されるとトランジスタ９がＯＮして制御装置１に電源が供給される。このとき、整流ダイオード６は低圧直流電源からホトカプラ７に電流が流れ、ホトカプラ７がＯＮしてトランジスタ９がＯＦＦすることにより、低圧直流電源入力部８からの電源が遮断されるのを阻止している。
【００６３】
また、交流電源と低圧直流電源の両方が接続されている場合、通常は上記のように交流電源から電源が制御装置１に供給されるが、低圧直流電源から電源を供給するときにはマイクロコンピュータ１０はホトカプラ１４の入力側に電流を流し、ホトカプラ１４をＯＮし、トランジスタ１３のベース電流を遮断することにより、トランジスタ１３をＯＦＦする。この状態で整流降圧部５からの出力は遮断される。整流降圧部５からの出力が遮断されるとホトカプラ７の入力側に電流が流れなくなりホトカプラ７がＯＦＦし、トランジスタ９がＯＮすることにより、低圧直流電源入力部８からの低圧直流電源が制御装置１に供給される。
【００６４】
以上のように、ＡＣインレット適合した電源コードを用いることで、屋内の交流商用電源で使用することができ、自動車の車内のシガライターソケットから空気清浄機本体のＤＣジャックに接続することで、車内でも使用できる。また、絶縁型ＤＣ−ＤＣコンバータ部を用いることで、ＤＣジャックは商用交流電源とは絶縁されているため、交流商用電源を使用手いるとき、ＤＣジャックの端子に触れても感電することはない。
【００６５】
（実施の形態６）
図６は、本実施の形態６における回路構成図を示す。図６において図１〜５と同様の構成要素については同一の符号を付し、その詳細な説明は省略する。
【００６６】
図６において、交流商用電源入力部４には交流を直流に変換し平滑する整流回路部２４が接続され、この整流回路部２４の出力には絶縁型ＤＣ−ＤＣコンバータ部２５が接続されている。整流回路部２４の出力にはリレー２６のコイルがトランジスタ２７を介して接続され、リレー２６のＮＣ接点は低圧直流電源入力部８の出力に接続されている。
【００６７】
空気清浄機本体外部からの交流商用電源の入力部にはＡＣインレット２１が設けられ、このＡＣインレット２１と前記交流商用電源入力部４のコネクタ２０の間はリード線で接続されている。
【００６８】
また、空気清浄機本体外部からの直流低圧電源の入力部にはＤＣジャック２２が設けられ、このＤＣジャック２２と前記低圧直流電源入力部８のコネクタ２３の間はリード線で接続されている。
【００６９】
上記構成において、ＡＣインレット２１に適合する電源コードがコンセント（図示せず）に接続されると、交流商用電源入力部４から電源が供給され、整流回路部２４により直流に変換され平滑される。直流平滑された電源はＤＣ−ＤＣコンバータ部２５により低圧の直流に変換され、マイクロコンピュータ１０やイオン発生装置２、送風手段３に電源が供給される。また、マイクロコンピュータ１０はトランジスタ２７をＯＮし、前記低圧直流電源入力部８の出力に接続されたリレー２６のＮＣ接点が開放される。
【００７０】
一方、ＡＣインレット２１から交流商用電源が入力されていない状態ではリレー２６のコイルには電源が供給されないので、リレー２６のＮＣ接点は閉じた状態になる。この状態でＤＣジャック２２に直流低圧電源が入力されると、リレー２６のＮＣ接点を介して、マイクロコンピュータ１０やイオン発生装置２、送風手段３に電源が供給される。
【００７１】
以上のように、交流商用電源が接続されている場合にはＤＣジャックの端子に電圧が発生することがなくなり、ＤＣジャックにＡＣアダプタからの電源や自動車等のバッテリーから電源が入力されても、制御装置とは切断されているので、不要な電流が空気清浄機の制御装置に流れ込むことや逆に流れ出すことがなくなり、制御装置やＡＣアダプタの破損を防止できる。
【００７２】
（実施の形態７）
図７〜９は、本実施の形態６における電源入口付近の断面図を示す。図７〜９において図１〜６と同様の構成要素については同一の符号を付し、その詳細な説明は省略する。
【００７３】
図７において、空気清浄機本体樹脂ケース２８には切欠き部分を有し、その切欠き部分にはＡＣプラグ付電源コード１９が貫通し、ＡＣプラグ付電源コード１９の貫通部分には断面形状に沿った固定具２９でＡＣプラグ付電源コード１９が動かないよう固定され、空気清浄機本体樹脂ケース２８にねじ３０で止められている。空気清浄機本体樹脂ケース２８の内側のＡＣプラグ付電源コード１９は交流商用電源入力部４に接続される。
【００７４】
図８において、空気清浄機本体樹脂ケース２８の切欠き部分には、固定具３１にはめ込まれたＡＣインレット２１が空気清浄機本体樹脂ケース２８にねじ３０で止められている。ＡＣインレット２１とコネクタ２３とはリード線で接続され低圧直流電源入力部８に入力される。
【００７５】
図９において、空気清浄機本体樹脂ケース２８の切欠き部分には、固定具３２にはめ込まれたＤＣジャック２２が空気清浄機本体樹脂ケース２８にねじ３０で止められている。ＤＣジャック２２Ａとコネクタ２３とはリード線で接続され低圧直流電源入力部８に入力される。
【００７６】
上記構成において、空気清浄機本体樹脂ケース２８の切欠き部分は一番断面形状が大きいＡＣインレット２１の固定具２９が固定できるように、形状が１種類に統一されている。ＡＣプラグ付電源コード１９の固定具２９とＤＣジャック２２の固定具３２の外形は、空気清浄機本体樹脂ケース２８の切欠き部分の形状に合うように作られている。
【００７７】
以上のように、空気清浄機本体樹脂ケース２８の切欠き部分を統一することで、制御装置１を含む空気清浄機本体は電源仕様にかかわらず１種類で、電源入力の固定部のみを変更することで電源仕様を容易に変更できる。
【００７８】
（実施の形態８）
図１０は、本実施の形態８における回路構成図を示す。図１０において図１〜６と同様の構成要素については同一の符号を付し、その詳細な説明は省略する。
【００７９】
制御装置１の交流商用電源入力部３３には交流を直流に変換し平滑する整流回路部２４が接続され、整流回路部２４の出力には直流電源を生成するためのＤＣ−ＤＣコンバータ部２５が接続され、マイクロコンピュータ１０、イオン発生装置２、送風手段３に電源を供給している。
【００８０】
上記構成において、整流回路部２４はＡＣ約３００Ｖ（海外を含む住宅用公称電圧の最大値であるＡＣ２４０Ｖに電圧変動を加味した値）の耐圧を有し、交流商用電源入力部３３から入力された電源が直流、交流にかかわらず整流平滑されて、ＤＣ−ＤＣコンバータ部２５に入力される。ＤＣ−ＤＣコンバータ部２５は約１０Ｖから約４００Ｖ（海外を含む住宅用公称電圧の最大値であるＡＣ２４０Ｖを整流平滑した約３４０Ｖに電圧変動を加味した値）まで動作可能な仕様で、直流低圧を出力しマイクロコンピュータ１０、イオン発生装置２、送風手段３に供給する。
【００８１】
以上のように、交流商用電源でも低圧直流電源でも動作ので、制御装置１の電源入力部を交流商用電源と低圧直流電源の２個に分ける必要がなくなることで、簡略化することがきる。
【００８２】
（実施の形態９）
図１１は、本実施の形態９における回路構成図を示す。図１１において図１〜６および図１０と同様の構成要素については同一の符号を付し、その詳細な説明は省略する。
【００８３】
図１１において、交流商用電源入力部３３はコネクタ接続方式となっており、ＡＣプラグ付電源コード１９の先端にはコネクタ２０が取り付けられており、前記交流商用電源入力部３３に接続されている。
【００８４】
上記構成において、ＡＣプラグ付電源コード１９がコンセント（図示せず）に接続されると、交流商用電源入力部３３から電源が供給され、整流回路部２４により、整流平滑されＤＣ−ＤＣコンバータ部２５により直流低圧に変換され、マイクロコンピュータ１０やイオン発生装置２、送風手段３に電源が供給される。整流回路部２４はＡＣ約３００Ｖの耐圧を有し、ＤＣ−ＤＣコンバータ部２５は約１０Ｖから約４００Ｖまで動作可能な仕様であるため、日本国内の家庭用電源のＡＣ１００Ｖから海外の家庭用電源のＡＣ２４０Ｖまで対応できる。
【００８５】
以上のように、仕向け先の国に対応したＡＣプラグの形状の異なる電源コードを付け替えるだけで、空気清浄機の本体形状や制御装置、イオン発生装置、送風手段を変更することなく、電源電圧の異なる国向けの空気清浄機を生産することができる。
【００８６】
（実施の形態１０）
図１２は、本実施の形態１０における回路構成図を示す。図１２において図１〜６および図１０〜１１と同様の構成要素については同一の符号を付し、その詳細な説明は省略する。
【００８７】
図１２において、交流商用電源入力部３３はコネクタ接続方式となっており、空気清浄機本体外部からの交流商用電源の入力部にはＡＣインレット２１が設けられ、このＡＣインレット２１と交流商用電源入力部３３のコネクタ２０の間はリード線で接続されている。
【００８８】
上記構成において、ＡＣインレット２１に適合する電源コードがコンセント（図示せず）に接続されると、交流商用電源入力部３３から電源が供給され、整流回路部２４により、整流平滑されＤＣ−ＤＣコンバータ部２５により直流低圧に変換され、マイクロコンピュータ１０やイオン発生装置２、送風手段３に電源が供給される。整流回路部２４はＡＣ約３００Ｖの耐圧を有し、ＤＣ−ＤＣコンバータ部２５は約１０Ｖから約４００Ｖまで動作可能な仕様であるため、日本国内の家庭用電源のＡＣ１００Ｖから海外の家庭用電源のＡＣ２４０Ｖまで対応できる。
【００８９】
以上のように、ＡＣプラグの形状の異なるＡＣインレット付の電源コードを使用者が付け替えるだけで、日本以外の電圧の異なる交流商用電源で使用できる。
【００９０】
（実施の形態１１）
図１３は、本実施の形態１１における回路構成図を示す。図１３において図１〜６および図１０〜１２と同様の構成要素については同一の符号を付し、その詳細な説明は省略する。
【００９１】
図１３において、交流商用電源入力部３３はコネクタ接続方式となっており、空気清浄機本体外部からの直流低圧電源の入力部にはＤＣジャック２２が設けられ、このＤＣジャック２２と交流商用電源入力部３３のコネクタ２０の間はリード線で接続されている。
【００９２】
上記構成において、ＤＣジャック２２にＡＣアダプタの出力や車のシガライターソケットからの低圧直流電源が接続されると、交流商用電源入力部３３から電源が供給され、整流回路部２４により、整流平滑されＤＣ−ＤＣコンバータ部２５により直流低圧に変換され、マイクロコンピュータ１０やイオン発生装置２、送風手段３に電源が供給される。
【００９３】
以上のように、ＤＣ−ＤＣコンバータ部２５は約１０Ｖから動作可能な仕様であるため、自動車用の１２Ｖの電源だけでなく、大型トラック等の２９Ｖの電圧でも使用できる。
【００９４】
（実施の形態１２）
図１４は、本実施の形態１２における回路構成図を示す。図１４において図１〜６および図１０〜１３と同様の構成要素については同一の符号を付し、その詳細な説明は省略する。
【００９５】
図１４において、交流商用電源入力部３３はコネクタ接続方式となっており、空気清浄機本体外部からの交流商用電源の入力部にはＡＣインレット２１が設けられ、直流低圧電源の入力部にはＤＣジャック２２が設けられ、前記ＡＣインレット２１とこのＤＣジャック２２は並列接続され、交流商用電源入力部３３のコネクタ２０へ接続されている。
【００９６】
上記構成において、ＡＣインレット２１に適合する電源コードがコンセント（図示せず）に接続されると、交流商用電源入力部３３から電源が供給され、整流回路部２４により、整流平滑されＤＣ−ＤＣコンバータ部２５により直流低圧に変換され、マイクロコンピュータ１０やイオン発生装置２、送風手段３に電源が供給される。
【００９７】
また、ＤＣジャック２２にＡＣアダプタの出力や車のシガライターソケットからの低圧直流電源が接続されると、同様に電源が供給される。
【００９８】
以上のように、ＡＣインレット２１とＤＣジャック２２の両方を備えることにより、屋内では交流商用電源で使用することができ、屋外では１２Ｖ、２９Ｖを問わずあらゆる電圧のバッテリーで使用できる。
【００９９】
（実施の形態１３）
図１５は、本実施の形態１３における回路構成図を示す。図１５において図１〜６および図１０〜１４と同様の構成要素については同一の符号を付し、その詳細な説明は省略する。
【０１００】
図１５において、交流商用電源入力部３３、低圧直流電源入力部３４はコネクタ接続方式となっており、空気清浄機本体外部からの交流商用電源の入力部にはＡＣインレット２１が設けられ、直流低圧電源の入力部にはＤＣジャック２２が設けられている。
【０１０１】
交流商用電源入力部３３にはリレー３５のＮＣ接点が接続され、リレー３５のコイルはＤＣコンバータ部２５の出力の出力にトランジスタ３７を介して接続されている。
【０１０２】
また、低圧直流電源入力部３４にはリレー３８のＮＣ接点が接続され、リレー３８のコイルはＤＣコンバータ部２５の出力の出力にトランジスタ３９を介して接続されている。
【０１０３】
上記構成において、ＡＣインレット２１に適合する電源コードがコンセントに接続されると、交流商用電源入力部３３から電源が供給され、整流回路部２４により、整流平滑されＤＣ−ＤＣコンバータ部２５により直流低圧に変換され、マイクロコンピュータ１０やイオン発生装置２、送風手段３に電源が供給される。この時、マイクロコンピュータ１０はトランジスタ３９をＯＮしてリレー３８の接点を開放する。
【０１０４】
また、ＤＣジャック２２にＡＣアダプタの出力や車のシガライターソケットからの低圧直流電源が接続されると、ホトカプラ１５がＯＮしてその信号がマイクロコンピュータ１０に入力されるので、選択スイッチ１８を操作することにより、マイクロコンピュータ１０はトランジスタ３７をＯＮしてリレー３５の接点を開放し、交流商用電源入力部３３からの電源供給を遮断するとともに、トランジスタ３９をＯＦＦしてリレー３８の接点を短絡し低圧直流電源から電源を供給する。
【０１０５】
ＡＣインレット２１に適合する電源コードがコンセントに接続され、さらにＤＣジャック２２にＡＣアダプタの出力や車のシガライターソケットからの低圧直流電源が接続されると、リレー３５またはリレー３８のどちらかが開放状態となり、ＡＣインレット２１とＤＣジャック２２間も電気的に遮断される。
【０１０６】
以上のように、ＡＣインレットに交流商用電源が、ＤＣジャックに低圧直流電源が入力されても相互にショートすることはなくなる。
【産業上の利用可能性】
【０１０７】
本発明にかかる空気清浄機は、商用交流電源でも低圧直流電源でも運転を可能としたものであるので、一般家庭や事務所、店舗のほか、車載用として有用である。
【符号の説明】
【０１０８】
１    制御装置
２    イオン発生装置
３    送風手段
１７  動作電源表示部
１８  選択スイッチ
【図１】
2012017867.tif 000003
【図２】
2012017867.tif 000004
【図３】
2012017867.tif 000005
【図４】
2012017867.tif 000006
【図５】
2012017867.tif 000007
【図６】
2012017867.tif 000008
【図７】
2012017867.tif 000009
【図８】
2012017867.tif 000010
【図９】
2012017867.tif 000011
【図１０】
2012017867.tif 000012
【図１１】
2012017867.tif 000013
【図１２】
2012017867.tif 000014
【図１３】
2012017867.tif 000015
【図１４】
2012017867.tif 000016
【図１５】
2012017867.tif 000017
【図１６】
2012017867.tif 000018